(57)【特許請求の範囲】
【請求項１】
照明デバイス制御コマンドを取得し、制御ユニットインターフェースを備える一次制御ユニットと、
照明ユニットのグループであって、前記グループの各照明ユニットは、前記照明ユニットの照明ユニットインターフェースを介して、光生成制御コマンドを受信する、前記照明ユニットのグループと、を備え、
前記一次制御ユニットは、
取得された照明デバイス制御コマンドに基づいて、前記制御ユニットインターフェースのブロードキャスト通信モード又はアドレス通信モードを選択し、
前記選択された通信モードを使用して、前記制御ユニットインターフェースを介して、前記照明ユニットのグループの少なくとも１つのそれぞれの照明ユニットの前記照明ユニットインターフェースの少なくとも１つに、少なくとも１つの光生成制御コマンドを通信し、前記ブロードキャスト通信モードが使用されるとき、前記光生成制御コマンドはブロードキャスト識別子を有し、前記アドレス通信モードが使用されるとき、前記光生成制御コマンドは前記照明ユニットの一つに特有のアドレス識別子を有する、照明デバイス。
【請求項２】
前記照明ユニットのグループの各照明ユニットは、少なくとも１つの光素子と、前記少なくとも１つの光素子に接続された少なくとも１つの光素子コントローラとを備え、前記光素子コントローラは、前記照明ユニットの前記照明ユニットインターフェースを介して受信された光生成制御コマンドに基づいて光素子駆動信号を生成する、請求項１に記載の照明デバイス。
【請求項３】
前記制御ユニットインターフェースは、バスインターフェースであり、前記照明ユニットインターフェースは、照明デバイスバスを介して前記一次制御ユニットの前記バスインターフェースに接続されるバスインターフェースである、請求項１又は２に記載の照明デバイス。
【請求項４】
前記一次制御ユニットは、前記照明デバイスの少なくとも２つの照明ユニットの光生成制御を必要とする照明デバイス制御コマンドを受信し、前記照明デバイス制御コマンドを、前記少なくとも２つの照明ユニットのそれぞれに対する光生成制御コマンドに変換する変換器を備え、
前記一次制御ユニットは、前記取得された照明デバイス制御コマンドに基づいて、前記変換器を選択的に操作して、前記照明デバイス制御コマンドを、前記少なくとも２つの照明ユニットのそれぞれに対する光生成制御コマンドに変換する、請求項１乃至３の何れか一項に記載の照明デバイス。
【請求項５】
前記少なくとも２つの照明ユニットの各照明ユニットに対する前記光生成制御コマンドは、前記少なくとも２つの照明ユニットの他のいずれのものとも無関係に、前記少なくとも２つの照明ユニットのそれぞれの照明ユニットによって実行可能である、請求項４に記載の照明デバイス。
【請求項６】
前記照明ユニットのグループの各照明ユニットの前記照明ユニットインターフェースは、任意選択的にそれぞれの照明ユニットの初期化を除いて、スレーブ通信モードでのみ動作される、請求項１乃至５の何れか一項に記載の照明デバイス。
【請求項７】
前記照明ユニットのグループと、任意選択的に前記一次制御ユニットとは、照明デバイスユニットのチェーンを形成し、各後続ユニットは、それぞれの先行ユニットの切り替え可能な初期化出力部に接続される初期化入力部を備え、
各先行ユニットは、前記先行ユニットのアドレス識別を初期化した後でのみ、前記初期化出力部において初期化信号を出力し、
各後続ユニットは、前記初期化入力部において前記初期化信号を受信すると、前記後続ユニットのアドレス識別を初期化する、請求項１乃至６の何れか一項に記載の照明デバイス。
【請求項８】
前記照明ユニットのグループと、任意選択的に前記一次制御ユニットとは、照明デバイスユニットのパワーサプライチェーンを形成し、各後続ユニットは、それぞれの先行ユニットの切り替え可能なパワーサプライ出力部に接続されるパワーサプライ入力部を備え、
各先行ユニットは、前記先行ユニットのアドレス識別を初期化した後でのみ、前記パワーサプライ出力部において電力を供給し、
各後続ユニットは、前記パワーサプライ入力部において電力が供給されると、前記後続ユニットのアドレス識別を初期化する、請求項１乃至７の何れか一項に記載の照明デバイス。
【請求項９】
前記照明ユニットのグループの前記照明ユニットは、それぞれ、照明ユニットアドレス識別を初期化するアドレス初期化器を備え、前記アドレス初期化器は、前記照明ユニットインターフェースに接続され、前記照明ユニットのアドレス識別を取得する、請求項１乃至８の何れか一項に記載の照明デバイス。
【請求項１０】
前記照明デバイスは、照明器具及び光源のうちの１つである、請求項１乃至９の何れか一項に記載の照明デバイス。
【請求項１１】
請求項１乃至１０の何れか一項に記載の複数の照明デバイスと、前記照明デバイスの照明デバイスインターフェースを介して前記照明デバイスの一次制御ユニットに照明デバイス制御コマンドを通信するシステムインターフェースと、を備える照明システム。
【請求項１２】
照明デバイスの照明ユニットを制御する方法であって、
照明デバイス制御コマンドを取得するステップと、
前記取得された照明デバイス制御コマンドに基づいて、前記照明デバイスの少なくとも１つの照明ユニットへの通信のためにブロードキャスト通信モード又はアドレス通信モードを選択するステップと、
前記選択された通信モードを使用して、前記照明デバイスの少なくとも１つの照明ユニットに少なくとも１つの光生成制御コマンドを通信するステップと、
を含み、前記ブロードキャスト通信モードが使用されるとき、前記光生成制御コマンドはブロードキャスト識別子を有し、前記アドレス通信モードが使用されるとき、前記光生成制御コマンドは前記照明ユニットの一つに特有のアドレス識別子を有する、方法。
【請求項１３】
少なくとも２つの照明ユニットの光生成制御を必要とする取得された照明デバイス制御コマンドの場合に、かつ、前記取得された照明デバイス制御コマンドに応じて、当該取得された照明デバイス制御コマンドを、前記少なくとも２つの照明ユニットのそれぞれに対する光生成制御コマンドに選択的に変換するステップと、
前記光生成制御コマンドを、アドレス指定された通信モードを使用して、前記少なくとも２つの照明ユニットのそれぞれに通信するステップと、
をさらに含む、請求項１２に記載の方法。
【請求項１４】
前記方法は、照明デバイスの照明ユニットを制御する方法であって、前記照明ユニットは、照明デバイスユニットのチェーン状に配置され、前記方法はさらに次の初期ステップ：
（ａ）先行照明デバイスユニットが、照明デバイスユニットアドレス識別を初期化するステップと、
（ｂ）前記先行照明デバイスユニットが、後続照明デバイスユニットに初期化信号を出力するステップと、
（ｃ）前記後続照明デバイスユニットが、前記初期化信号を受信するステップと、
（ｄ）前記後続照明デバイスユニットが、照明デバイスユニットアドレス識別を初期化するステップと、
を含み、
前記ステップ（ｂ）乃至（ｄ）は、前記照明デバイスユニットのチェーンの各後続照明デバイスユニットに対して繰り返される、請求項１２又は１３に記載の方法。
【請求項１５】
前記ステップ（ｂ）において、前記初期化信号を出力することは、前記後続照明デバイスユニットに電力を供給することを含み、前記後続照明デバイスユニットが前記初期化信号を受信する前記ステップ（ｃ）は、前記後続照明デバイスユニットが給電されることを含む、請求項１４に記載の方法。
【発明の詳細な説明】
【技術分野】
【０００１】
本発明は、照明デバイスの分野、及び照明デバイスの照明ユニットを制御する分野に関する。より具体的には、本発明は、照明ユニットのグループを備える照明デバイス、及び照明デバイスの照明ユニットを制御する方法に関する。
【背景技術】
【０００２】
国際特許公開公報ＷＯ２００８／０６８７２８Ａ１は、複数の光素子と、各光素子にそれぞれ接続されている複数の光素子コントローラとを有する光源について説明している。当該光源は、光源バスを介して幾つかの光素子コントローラに接続されているバスインターフェースを備える。光源バスは、ブロードキャストモードに設定されている。バスインターフェースは、通常、光素子の総合的な光設定を含む一般コマンドを光素子コントローラにブロードキャストする。各光素子コントローラは、それが接続されている光素子の特定の駆動信号を計算する能力を有する。
【発明の概要】
【発明が解決しようとする課題】
【０００３】
本発明は、照明デバイス内の照明デバイスの様々なユニット間の通信が簡易化される照明デバイスを提供することを目的とする。
【課題を解決するための手段】
【０００４】
この目的は、照明デバイス制御コマンドを取得し、制御ユニットインターフェースを備える一次制御ユニットと、
照明ユニットのグループであって、当該グループの各照明ユニットは、照明ユニットの照明ユニットインターフェースを介して、光生成制御コマンドを受信する、照明ユニットのグループと、を備え、
当該一次制御ユニットは、
取得された照明デバイス制御コマンドに基づいて、制御ユニットインターフェースのブロードキャスト通信モード又はアドレス通信モードを選択し、
選択された通信モードを使用して、制御ユニットインターフェースを介して、当該照明ユニットのグループの少なくとも１つのそれぞれの照明ユニットの当該照明ユニットインターフェースの少なくとも１つに、少なくとも１つの光生成制御コマンドを通信する、照明デバイスによって達成される。
【０００５】
例えば、当該照明デバイスは、照明器具（luminaire）、光源又は固定具である。
【０００６】
以下では、照明デバイスユニットという用語は、照明ユニットの他に、当該一次制御ユニット及び任意選択的な二次制御ユニットも含めて使用される。
【０００７】
取得された照明デバイス制御コマンドに基づいて、ブロードキャスト通信モード又はアドレス通信モードを選択することによって、照明デバイス内の通信（イントラ照明デバイス通信）の効率は、ブロードキャストモードのみが使用される構成及びアドレスモードのみが使用される構成より高くなる。大抵の場合、ブロードキャストモードはアドレスモードと比べてより効率的であるが、照明デバイスによって提供される機能に応じて、アドレスモードがより効率的である状況もある。
【０００８】
例えば、一次制御ユニットは、当該照明デバイス制御コマンドを受信する照明デバイスインターフェースを備えてもよい。したがって、例えば、一次制御ユニットは、当該制御ユニットインターフェースの他に、照明デバイスインターフェースも備えてよい。
【０００９】
アドレスモード又は個別にアドレス指定された通信モードとも呼ばれるアドレス通信モードでは、一次制御ユニットによって提供される通信メッセージは、照明ユニットのそれぞれに特有のアドレス識別を含んでもよい。例えば、アドレス識別は、個別の照明デバイス内、即ち、照明ユニット、一次制御ユニット及び任意選択的に照明デバイスの他の制御ユニットの間で一意であってよい。例えば、アドレス識別は、ブロードキャストモードではなく、アドレスモードでのみ使用されてもよい。
【００１０】
光生成制御コマンドは、コマンドが対象とする照明ユニットが取るべき動作を指定し、その動作は、点灯／消灯、光強度、色などの光生成の属性に関連する。
【００１１】
例えば、当該照明ユニットのグループの各照明ユニットは、少なくとも１つの光素子と、当該少なくとも１つの光素子に接続された少なくとも１つの光素子コントローラとを備えてもよく、また、照明ユニットの照明ユニットインターフェースを介して受信された光生成制御コマンドに基づいて光素子駆動信号を生成する。「光素子」という用語は、通常の状況である単一の発光体の他に、同時に、即ち、同じ駆動信号によって、駆動される複数の発光体のグループを含めて理解されることに留意されたい。例えば、光素子コントローラは、少なくとも１つの光素子の駆動信号を計算し、当該少なくとも１つの光素子に、より具体的には、その少なくとも１つの光素子ドライバに当該駆動信号を供給する。
【００１２】
例えば、制御ユニットインターフェースは、バスインターフェースであり、照明ユニットインターフェースは、バスインターフェースである。例えば、これらのバスインターフェースはシリアルバスインターフェースである。例えば、照明ユニットインターフェースは、制御ユニットインターフェースに接続される。例えば、照明ユニットインターフェースは、照明デバイスバスを介して、制御ユニットインターフェースに接続される。例えば、当該照明デバイスバスは、シリアルバスであってよい。照明デバイス内の通信の効率を増加することによって、バスインターフェースの周波数要件を、かなり減少することができる。したがって、照明ユニットインターフェースの周波数要件も減少される。
【００１３】
例えば、一次制御ユニットは、
選択された通信モードがブロードキャスト通信モードである場合に、制御ユニットインターフェースで当該少なくとも１つの光生成制御コマンドを出力し、
選択された通信モードがアドレス通信モードである場合に、制御ユニットインターフェースで照明ユニットの１つに特有の少なくとも１つのアドレス識別及び当該少なくとも１つの光生成制御コマンドを出力する。したがって、特有のアドレス識別は、ブロードキャスト通信モードではなく、アドレス通信モードでのみ出力される。例えば、ブロードキャスト通信モードでは、特有のアドレス識別の代わりに、例えば、アドレス「０」を指定する形式で、ブロードキャスト識別子が出力されてもよい。例えば、制御ユニットインターフェース及び照明ユニットインターフェースは、ビットシリアルインターフェースである。
【００１４】
例えば、当該特有のアドレス識別は、照明ユニットアドレス識別又は照明ユニットインターフェースアドレス識別であってよい。
【００１５】
例えば、一次制御ユニットは、選択された通信モードがアドレス通信モードである場合に、当該選択された通信モードを使用して、及び、少なくとも１つの照明ユニットアドレス識別を使用して、制御ユニットインターフェースを介して、当該照明ユニットのグループの少なくとも１つのそれぞれの照明ユニットの当該照明ユニットインターフェースの少なくとも１つに、少なくとも１つの光生成制御コマンドを選択的に通信する。
【００１６】
例えば、当該照明ユニットインターフェースは、ブロードキャスト通信モード及びアドレス通信モードで光生成制御コマンドを受信する。
【００１７】
例えば、一次制御ユニットは、照明デバイスの少なくとも２つの照明ユニットの光生成制御を必要とする、即ち、照明デバイスの当該少なくとも２つの照明ユニットの光生成の制御を必要とする照明デバイス制御コマンドを受信し、当該照明デバイス制御コマンドを当該少なくとも２つの照明ユニットのそれぞれに対する光生成制御コマンドに変換するための変換器（translator）を備えてもよく、
一次制御ユニットは、当該取得された照明デバイス制御コマンドに基づいて変換器を選択的に操作して、照明デバイス制御コマンドを当該少なくとも２つの照明ユニットのそれぞれに対する光生成制御コマンドに変換する。
【００１８】
例えば、一次制御ユニットは、当該取得された照明デバイス制御コマンドに基づいて変換器を選択的に操作し、当該少なくとも２つの照明ユニットに当該光生成制御コマンドを通信するためのアドレス通信モードを選択する。例えば、照明デバイスの少なくとも２つの照明ユニットの光生成制御を必要とする当該照明デバイス制御コマンドは、照明デバイスのすべての照明ユニットの光生成の制御を必要とする照明デバイス制御コマンドであっても、照明デバイスの照明ユニットの一部のみの光生成制御に関連する照明デバイス制御コマンドであってもよい。例えば、調整（coordination）は一次制御ユニットによって実行されてもよいので、照明ユニットは、照明ユニットの調整制御の複雑な操作を実行する必要はない。したがって、照明ユニットの処理能力は低減される。例えば、複数の照明ユニットの複雑な処理又は調整制御を必要とする照明デバイス制御コマンドは、より簡易な光生成制御コマンドに変換されてもよく、それは、例えば、照明ユニット間の相互作用なしで、照明ユニットによって実行されてもよい。したがって、例えば、動的照明効果は、構造が簡易化され、複雑性が軽減された照明ユニットを有する照明デバイスによって実行される。さらに、ブロードキャスト通信モードは、他の、例えば、一次制御ユニットによって受信されるより簡易な照明デバイス制御コマンドに対して使用されてもよいため、照明デバイス内の通信は効率的である。
【００１９】
例えば、一次制御ユニットは、当該取得された照明デバイス制御コマンドに基づいて、
変換器を操作し、少なくとも１つのアドレス通信モードを使用して、制御ユニットインターフェースを介して、それぞれの当該少なくとも２つの照明ユニットに当該光生成制御コマンドを通信すること、及び、
ブロードキャスト通信モードを使用して、制御ユニットインターフェースを介して、当該照明ユニットのグループに少なくとも１つの光生成制御コマンドを通信すること、のうちの１つを選択的に実行する。例えば、後者の場合、一次制御ユニットは、当該取得された照明デバイス制御コマンドに基づいて、少なくとも１つの光生成制御コマンドを生成することができる。例えば、照明デバイス制御コマンドは、一次制御ユニットによって、光生成制御コマンドの形式で、照明ユニットに中継されてもよい。
【００２０】
例えば、一次制御ユニットは、照明ユニットのグループの他のいずれの照明ユニットとも無関係に、当該照明ユニットインターフェースの当該少なくとも１つに、即ち、通信されるべき照明ユニットインターフェースに、当該少なくとも１つの光生成制御コマンドを通信し、当該少なくとも１つの光生成制御コマンドは、それぞれの照明ユニットによって実行可能である。具体的には、当該少なくとも１つの光生成制御コマンドは、照明ユニット間の通信を必要とすることなく、実行可能であり得る。換言すると、一次制御ユニットによって、ブロードキャスト通信モード又はアドレス通信モードで照明ユニットのグループのいずれかの照明ユニットに通信される任意の光生成制御コマンドは、当該照明ユニットのグループの他のいずれのものとも無関係に、それが対象とするそれぞれの少なくとも１つの照明ユニットによって実行可能な、より具体的には、照明ユニット間の通信を必要とすることなく実行可能な光生成制御コマンドである。照明ユニット間で通信が必要とされない場合は、照明ユニット及び照明ユニットインターフェースの構造が大幅に簡易化される。
【００２１】
例えば、当該照明ユニットのグループのそれぞれの当該照明ユニットインターフェースは、少なくともそれぞれの照明ユニットの初期化を除いて、スレーブ通信モードでのみ動作する。したがって、照明ユニットインターフェースの構造が大幅に簡易化され、照明デバイス内の通信が簡易化される。スレーブ通信モードでは、インターフェースは通信を開始せず、通信リクエスト若しくは通信されたコマンドを受信、及び／又は、に応答のみする。
【００２２】
例えば、制御ユニットインターフェースは、マスタ通信モードで動作している制御ユニットインターフェースを介して、当該照明ユニットのグループの少なくとも１つのそれぞれのものの当該照明ユニットインターフェースの少なくとも１つに当該少なくとも１つの光生成制御コマンドを通信し、当該照明ユニットインターフェースの当該少なくとも１つは、当該少なくとも１つの光生成制御コマンドを受信する間及びそれぞれの照明ユニットによる当該少なくとも１つの光生成制御コマンドの実行の間、スレーブ通信モードで動作する。したがって、照明ユニットインターフェースは、任意選択的に、照明デバイスの初期化段階を除いて、スレーブ通信モードでのみ動作してもよい。例えば、当該初期化は、アドレス識別初期化を含む。
【００２３】
例えば、当該照明ユニットのグループと、任意選択的に当該一次制御ユニットとは、照明デバイスユニットのチェーンを形成し、各後続ユニットは、それぞれの先行ユニットの切り替え可能な初期化出力部に接続される初期化入力部を備え、
各先行ユニットは、当該先行ユニットのアドレス識別を初期化した後に、当該初期化出力部において初期化信号を出力し、
各後続ユニットは、当該初期化入力部において当該初期化信号を受信すると、当該後続ユニットのアドレス識別を初期化する。照明ユニットの当該アドレス識別は、光生成制御コマンドをそれぞれの照明ユニットにアドレス通信モードで通信する際に使用される。したがって、チェーン構造が、一度に１つの照明ユニットしか初期化されないことを確実にするので、照明ユニットの構造は簡易化される。したがって、照明デバイス内で一意であるアドレス識別は、例えば、当該技術分野においてそれ自体は知られているアドレス初期化手順に基づいて、簡単に照明ユニットに割り当てられる。
【００２４】
例えば、ユニットのチェーンの各ユニットは、当該ユニットがユニットのチェーンにおける第１のユニットである場合、異なるアドレス識別を後続ユニットに割り当て、また、ユニットのチェーンの各ユニットは、当該ユニットがユニットのチェーンにおける後続ユニットである場合、ユニットチェーンにおける第１のユニットからアドレス識別を受信する。
【００２５】
例えば、ユニットのアドレス識別を初期化することは、
当該ユニットがユニットのチェーンにおける第１のユニットである場合、アドレス識別を割り当て、
当該ユニットがユニットのチェーンにおける後続ユニットである場合、ユニットチェーンにおける第１のユニットからアドレス識別を受信することを含む。
【００２６】
例えば、ユニットのアドレス識別を初期化することは、
当該ユニットが一時制御ユニットである場合、規定の一次制御ユニットアドレス識別を割り当てることを含む。
【００２７】
例えば、アドレス識別を後続ユニットに割り当てることは、当該アドレス識別を当該後続ユニットに通信することを含む。例えば、新しいアドレス識別は、後続ユニットにアドレス指定するためにデフォルトアドレス識別を使用して、当該後続ユニットに通信される。したがって、第１のユニットが照明ユニットである場合、照明ユニットは、アドレス識別を後続ユニットに通信し、当該第１のユニットの照明ユニットインターフェースは、照明デバイスのアドレス初期化ステージの間、マスタ通信モードで動作される。
【００２８】
代替実施形態では、一次制御ユニットは、ユニットのチェーンの第１のユニットであり、また、異なるアドレス識別を後続ユニットに割り当てる、ユニットのチェーンの唯一のユニットである。したがって、ユニットのチェーンの各照明ユニットは、後続ユニットであり、一次制御ユニットからアドレス識別を受信する。この代替実施形態では、照明ユニットは、スレーブ通信モードでのみ動作される。さらに、例えば、当該照明ユニットのグループは、照明ユニットのチェーンを形成し、一次制御ユニットが、異なるアドレス識別を照明ユニットに割り当てる。
【００２９】
例えば、当該照明デバイスユニットのチェーンは、照明デバイスユニットのパワーサプライチェーンであってもよく、当該初期化入力部は、パワーサプライ入力部であり、当該初期化出力部は、パワーサプライ出力部であり、初期化信号を出力することは、パワーサプライ出力部において電力を供給することであり、当該初期化信号を受信することは、パワーサプライ入力部において電力が供給されることである。したがって、各照明デバイスユニットの初期化はそれぞれのユニットの起動時に開始するので、照明デバイスユニットの構造は簡易化される。さらに、照明ユニットは順に初期化されるので、照明デバイスの初期化は簡易化される。
【００３０】
例えば、照明デバイスは、任意選択的に、少なくとも１つの二次制御ユニットをさらに備えてもよく、二次制御ユニットは、一次制御ユニットインターフェースを介して一次制御ユニットと通信するための二次制御ユニットインターフェースを備える。当該少なくとも１つの二次制御ユニットは、照明デバイスユニットの上記チェーン又は照明デバイスユニットの当該パワーサプライチェーンの一部であってよい。
【００３１】
本発明のさらなる態様では、上述のような複数の照明デバイスと、照明デバイス制御コマンドを生成し、システムコントローラのシステムインターフェースを介して、及び、当該照明デバイスの照明デバイスインターフェースを介して、当該照明デバイスの一次制御ユニットに当該照明デバイス制御コマンドを通信するシステムコントローラとを備える、照明システムが提供される。例えば、システムインターフェースはバスインターフェースであり、照明デバイスインターフェースはシステムバスを介してシステムインターフェースに接続されたバスインターフェースである。
【００３２】
本発明のさらなる態様では、照明デバイスの照明ユニットを制御する方法が提供される。当該方法は、
照明デバイス制御コマンドを取得するステップと、
取得された照明デバイス制御コマンドに基づいて、照明デバイスの少なくとも１つの照明ユニットに通信するためのブロードキャスト通信モード又はアドレス通信モードを選択するステップと、
選択された通信モードを使用して、照明デバイスの少なくとも１つの照明ユニットに少なくとも１つの光生成制御コマンドを通信するステップと、を含む。
【００３３】
本発明のこれらの態様の及び他の態様は、以下で説明される実施形態から明らかになり、以下で説明される実施形態を参照して解明されるであろう。
【図面の簡単な説明】
【００３４】
【図１】図１は本発明による照明デバイスの実施形態のブロック図である。
【図２】図２は本発明による照明システムの実施形態のブロック図である。
【発明を実施するための形態】
【００３５】
図１を参照すると、照明器具、光源又は固定具などの照明デバイス１０１の実施形態は、一次制御ユニット１０３を備える。さらに、照明デバイスは、二次制御ユニット１０５を任意選択的に備えてもよい。さらに、照明デバイスは、照明ユニット１０７のグループを備える。二次制御ユニット１０５及び照明ユニット１０７は、照明デバイスバス１０９を介して一次制御ユニット１０３に接続される。
【００３６】
具体的には、一次制御ユニット１０３は、照明デバイスバス１０９に接続された制御ユニットインターフェース１１３を備え、二次制御ユニット１０５は、照明デバイスバス１０９に接続された制御ユニットインターフェース１１５を備え、照明ユニット１０７はそれぞれ、照明デバイスバス１０９に接続された照明ユニットインターフェース１１７を備える。
【００３７】
各照明ユニット１０７は、複数の光素子１１９と光素子コントローラ１２１とを備え、光素子コントローラ１２１は光素子１１９のドライバ１２３と接続される。図１では、１つの照明ユニット１０７ごとに１つの例示的な光素子１１９と１つの例示的なドライバ１２３のみが示されている。例えば、各照明ユニット１０７は、赤色、緑色及び青色などの少なくとも３つの異なる色の光素子１１９を備えてもよく、その結果、照明ユニット１０７は色とりどりのパレットを生成することができる。光素子コントローラ１２１は、照明ユニットインターフェース１１７に接続される。光素子コントローラ１２１は、例えば、色及び強度に関する所望の特性の光を照明デバイス１０１に放出させるために使用される。例えば、光素子１１９はＬＥＤであるが、任意のソリッドステート光（ＳＳＬ：solid state light）素子がこの発明の範囲内に組み込まれる。加えて、本発明は、従来の照明デバイス（ＴＬ、ＨＩＤなど）及び制御可能な光素子を有するハイブリッドに適用可能である。各光素子コントローラ１２１は、光素子データを取得する。例えば、各光素子コントローラ１２１は、光素子１１９に対するピーク波長、光束及び温度挙動などの光素子データが格納されるストレージ１２５を有する。光素子コントローラ１２１は、照明ユニットインターフェース１１７を介して受信された光生成制御コマンドに基づいて、及び、任意選択的に当該光素子データに基づいて、光素子ドライバ１２３のための光素子駆動信号を生成する。
【００３８】
一次制御ユニット１０３は、制御ユニットインターフェース１１３に接続されるコントローラ１２７を有する。さらに、コントローラ１２７は、照明デバイスインターフェース１２９に接続され、照明デバイスインターフェース１２９は、図１の実施形態では、システムバス１３１に接続されるバスインターフェースである。照明デバイス１０１は、システムバス１３１を介して、照明システムのシステムインターフェース１３３に接続される。
【００３９】
二次制御ユニット１０５は、制御ユニットインターフェース１１５に接続されるコントローラ１３７を備える。コントローラ１３７は、二次制御ユニット１０５の少なくとも１つの制御デバイス１３９にさらに接続される。例えば、制御デバイス１３９は、センサを備える。例えば、コントローラ１２７及び１３７は、照明デバイスバス１０９を介して互いに通信する。
【００４０】
照明デバイス１０１は、有利にはモジュール形式であり、照明ユニット１０７は、照明モジュールであり、好ましくは、制御ユニット１０３及び／又は１０５も制御モジュールである。これらのモジュールは、取り外し可能である。したがって、例えば、欠陥のある照明ユニット１０７は容易に交換される。
【００４１】
モジュール又はユニットのパワーサプライは、パワーサプライモジュールの形態でパワーサプライ１４１を介して提供され、パワーサプライ１４１は主電源（mains）１４３に接続されてもよい。制御ユニット１０３、１０５及び照明ユニット１０７は、パワーサプライチェーンの形態で配置され、第１のユニットのパワーサプライ入力部１４５は、パワーサプライ１４１のパワーサプライ出力部に接続され、後続ユニットのパワーサプライ入力部１４５は、先行ユニットの切り替え可能なパワーサプライ出力部１４７に接続される。示された実施形態では、一次制御ユニット１０３が第１のユニットであり、そのパワーサプライ入力部１４５がパワーサプライ１４１に接続されている。
【００４２】
起動時、初期化は以下の通り実行される。各照明デバイスユニットの起動時、それぞれのユニットは、デフォルトアドレス識別を有する。例えば、各照明ユニット１０７及び各制御ユニット１０３、１０５は、同じデフォルトアドレスを有してもよく、新しい個別のアドレス識別が以下の通り割り当てられる。
【００４３】
チェーン内の第１の照明デバイスユニットである一次制御ユニット１０３には、電力が供給され、一次制御ユニットアドレス識別を初期化する。当該アドレス識別は、制御ユニットインターフェース１１３のストレージ１４９に格納されている。例えば、アドレス識別は、既定の一次制御ユニットアドレス識別であり、チェーンのすべてのユニットに知られている固定アドレスであってもよい。
【００４４】
次いで、ユニット１０３は、そのパワーサプライ出力部１４７でパワーサプライをオンに切り替え、説明される例では二次制御ユニット１０５である後続ユニットの初期化は、二次制御ユニット１０５への給電と同時に実行される。例えば、一次制御ユニット１０３のコントローラ１２７は、二次制御ユニット１０５のデフォルトアドレスを使用して、照明デバイスバス１０９を介して、利用可能な一意のアドレス識別を、当該ユニット１０５に割り当てることができる。新しいアドレス識別は、制御ユニットインターフェース１１５のストレージ１４９に格納される。したがって、当該ユニット１０５は、新しいアドレス識別を受信している。
【００４５】
二次制御ユニットアドレス識別を初期化した後、コントローラ１３７は、そのパワーサプライ出力部１４７でパワーサプライをオンに切り替える。本手順は、各照明ユニット１０７に対して、類似態様で繰り返される。したがって、順々に、照明ユニット１０７が給電され、各照明ユニット１０７の一意の照明ユニットアドレス識別が初期化され、照明ユニットインターフェース１１７のそれぞれのストレージ１４９に格納される。それぞれの照明ユニットアドレス識別を初期化した後、そのコントローラ１２１は、そのパワーサプライ出力部１４７でパワーサプライをオンに切り替える。
【００４６】
このように、アドレス識別は制御ユニット１０３、１０５及び照明ユニット１０７に割り当てられてもよく、アドレス識別は、照明デバイス１０１内で一意である。
【００４７】
例えば、第１のユニット１０３は、例えば、デフォルトアドレスからの応答を受信しないことから、照明デバイスバス１０９に接続されたすべてのユニットがいつ初期化されたかを認識する。即ち、第１のユニット１０３は、それ以上ユニット１０５、１０７がデフォルトアドレスに応答しない状況を検出する。
【００４８】
別の例では、制御ユニット１０５又は照明ユニット１０７は、パワーサプライチェーン内の第１のユニットであってもよい。ユニットは、例えば、当該ユニットが別のユニットからアドレス指定されないことを検出すること、即ち、当該ユニットがアドレス初期化のための通信メッセージを受信しないことから、当該ユニットが第１のユニットであることを知る。例えば、照明ユニット１０７がパワーサプライチェーン内の第１のユニットであってよい。この場合、アドレス初期化は、照明ユニット１０７は、各後続ユニットにアドレス指定するためのデフォルトアドレス識別を使用して、照明デバイスバス１０９を介して、それ自体、制御ユニット１０３、１０５及び他の照明ユニット１０７に一意のアドレス識別を割り当てるのと類似の態様で実行されてもよい。しかしながら、一次制御ユニット１０３がそのアドレスを変更するよう要求されると、それは、代わりに、固定された既定の一次制御ユニットアドレス識別を常に割り当てる。第１のユニット１０７が、照明デバイスバス１０９に接続されたすべてのユニットが初期化されたことを認識すると、第１のユニット１０７は、既知の既定の一次制御ユニットアドレス識別を使用して、アドレス初期化が完了したことを一次制御ユニット１０３に報告する。
【００４９】
図示される実施例では、パワーサプライ出力部１４７でパワーサプライをオンに切り替えることによって、それぞれのユニット１０３、１０５又は１０７は、後続ユニット１０５又は１０７に初期化信号を出力し、初期化信号は、後続ユニット１０５、１０７のパワーサプライ入力部１４５で受信される。換言すると、パワーサプライのオンへの切り替えは、後続ユニット１０５、１０７のための初期化信号を表す。
【００５０】
代替実施例では、制御ユニット１０３、１０５及び照明ユニット１０７は、チェーン状に配置され、このチェーンでは、専用の初期化入力部が、それぞれの先行ユニットの切り替え可能な初期化出力部に接続されており、各先行ユニットは、それぞれのユニット１０３、１０５又は１０７のアドレス識別を初期化した後、初期化出力部において初期化信号を出力する。つまり、パワーチェーンにおいてパワーサプライを実際に切り替える代わりに、専用の初期化信号が出力される。
【００５１】
図１を再び参照するに、例えば、コントローラ１２７、コントローラ１３７及び光素子コントローラ１２１は、それぞれのユニット１０３、１０５又は１０７のアドレス識別を初期化するためのアドレス初期化器も形成する。アドレス初期化器は、それぞれの制御ユニットインターフェース１１３、１１５又は照明ユニットインターフェース１１７に接続され、上述の通り、アドレス初期化及び／又はアドレス初期化ステップを実行する。光素子コントローラ１２１及びコントローラ１２７、１３７は、それぞれのユニット１０３、１０５又は１０７のそれぞれのパワーサプライ出力部１４７も切り替える。
【００５２】
さらに、初期化の間、各ユニット１０３、１０５及び１０７の起動構成が行われる。さらに、アドレス識別の初期化に加えて、各ユニットは、グループ識別を初期化することもできる。
【００５３】
照明デバイス制御は、以下の通り動作する。例えば、照明デバイスインターフェース１２９を介して、一次制御ユニット１０３は、照明デバイス制御コマンドを受信する。例えば、照明デバイス制御コマンドは、経験データを含んでもよい。経験データは、柔らかな夕刻の光、夜の闇、明るい作業灯など、照明デバイスのユーザが照明デバイスからの出力の結果として経験することになる経験に関連する。さらに、照明デバイス制御コマンドは、例えば日の出効果など、照明デバイス１０１によって実行される動的照明効果に関連する。
【００５４】
一次制御ユニット１０３の制御ユニット１２７は、少なくとも２つの照明ユニット１０７の光生成制御を必要とするそのような照明デバイス制御コマンドを受信し、照明デバイス制御コマンドを、当該照明ユニット１０７のそれぞれに対する光生成制御コマンドに変換するための変換器１５１を備える。一次制御ユニット１０３は、取得された照明デバイス制御コマンドに応じて、変換器１５１を選択的に操作して、照明デバイス制御コマンドを、少なくとも２つの照明ユニット１０７に対する光生成制御コマンドに変換し、照明デバイスバス１０９を介して、照明ユニット１０７に当該光生成制御コマンドを通信するためのアドレス通信モードを選択する。したがって、２つ以上の照明ユニット１０７の調整を必要とする照明効果などの複雑な照明効果は、その効果の実行に参加する各照明ユニット１０７に対する簡易な光生成制御コマンドに変換される。これにより、各照明ユニット１０７は、時間的及び／又は位置的調整がコントローラ１２７によって制御されるため、他の照明ユニット１０７とは無関係に、個別の照明ユニット１０７によって実行される光生成制御コマンドを受信する。したがって、一次制御ユニット１０３のみが複雑な照明デバイス制御コマンドを実行するために必要とされるアプリケーション知識を有する。
【００５５】
取得された照明デバイス制御コマンドに応じて、一次制御ユニットは、変換器を操作して、照明デバイス制御コマンドを、照明ユニット１０７のグループのすべての照明ユニット１０７に対する少なくとも１つの光生成制御コマンドに変換し、当該少なくとも１つの光生成制御コマンドを照明ユニット１０７に通信するためのブロードキャスト通信モードを選択することもできる。これは、照明ユニット１０７の他のいずれのものとも無関係に、照明ユニット１０７のそれぞれによって実行可能な簡易なコマンドに対して行われる。
【００５６】
さらに、受信された照明デバイス制御コマンドに応じて、一次制御ユニットは、受信された照明デバイスコマンドを光生成制御コマンドとして中継する。例えば、すべての照明をオフに切り替えるためのコマンドなどの照明デバイス制御コマンドは、照明デバイスバス１０９のブロードキャスト通信モードを使用して、照明ユニット１０７に通信される。
【００５７】
さらに、個別の照明ユニット１０７は、照明デバイス制御コマンドを介してアドレス可能であってもよく、当該照明デバイス制御コマンドは、一次制御ユニットによって、照明デバイスバス１０９を介してそれぞれの照明ユニット１０７に光生成制御コマンドを通信するためのアドレス通信モードを使用して１つの照明ユニット１０７にアドレス指定された光生成制御コマンドとして中継される。
【００５８】
一般に、受信された照明デバイス制御コマンドに応じて変換器１５１を選択的に操作することによって、複雑な照明デバイス制御コマンドは、より簡易な光生成制御コマンドに変換され、より簡易な光生成制御コマンドのそれぞれが、照明ユニット１０７の他のいずれのものとも無関係に、それが対象とするそれぞれの照明ユニットによって実行可能である。
【００５９】
例えば、照明ユニット１０７の照明ユニットインターフェース１１７は、光生成制御コマンドの実行の間、スレーブ通信モードでのみ動作する。したがって、照明ユニット１０７の構造が簡易化される。これは、照明ユニット１０７が取り外し可能な照明モジュールである場合に特に有利である。例えば、照明ユニット１０７の照明ユニットインターフェース１１７が、スレーブ通信モードでのみ動作する一方で、一次及び二次制御ユニット１０３、１０５の制御ユニットインターフェース１１３、１１５のみがマスタ通信モード及び／又はスレーブ通信モードで動作する。
【００６０】
したがって、一次制御ユニット１０３は、受信された照明デバイス制御コマンドに基づいて、制御ユニットインターフェース１１３のブロードキャスト通信モード又はアドレス通信モードを選択し、選択された通信モードを使用して、制御ユニットインターフェース１１３を介して、それぞれの照明ユニット１０７の照明ユニットインターフェース１１７の少なくとも１つに少なくとも１つの光生成制御コマンドを通信する。さらに、一次制御ユニット１０３は、受信された照明デバイス制御コマンドに基づいて、変換器１５１を選択的に操作して、照明デバイス制御コマンドを照明デバイス１０１の少なくとも２つの照明ユニット１０７に対する少なくとも１つの光生成制御コマンドに変換し、受信された照明デバイス制御コマンドに基づいて、制御ユニットインターフェース１１３のブロードキャスト通信モード又はアドレス通信モードを選択し、選択された通信モードを使用して、制御ユニットインターフェース１１３を介して、当該少なくとも２つの照明ユニット１０７のそれぞれの照明ユニットインターフェース１１７に少なくとも１つの光生成制御コマンドを通信する。
【００６１】
照明デバイスインターフェース１２９を介して、一次制御ユニット１０３は、照明デバイス１０１の外部に接続される。例えば、一次制御ユニット１０３は、照明デバイス１０１のネットワークに接続されてもよい。
【００６２】
図２は、複数の照明デバイス１０１と外部のシステムコントローラ１３５とを備えた照明システム又は照明器具システムの一例を示し、外部のシステムコントローラ１３５は、上述の通り、システムインターフェース１３３及びシステムバス１３１を介して照明デバイス１０１に接続される。システムコントローラ１３５は、照明デバイス制御コマンドを生成し、システムバス１３１を介して、照明デバイス１０１の一次制御ユニット１０３に当該照明デバイス制御コマンドを通信する。
【００６３】
本発明は、図面や前述の説明において詳細に図示され説明されてきたが、そのような図示及び説明は、図示的又は例示的なものであり、限定的なものではないと解釈されたい。本発明は、開示される実施形態に限定されない。
【００６４】
例えば、一次制御ユニット１０３の照明デバイスインターフェース１２９は、バスインターフェースに加えて又はその代わりに、ワイヤレス通信インターフェースを備えてもよい。さらに、例えば、照明デバイスインターフェース１２９は、ユーザインターフェースを備えてもよい。例えば、一次制御ユニット１０３は、ユーザインターフェースを介して、例えば、ユーザ入力から生成された、照明制御コマンドを受信する。さらに、例えば、照明デバイスインターフェース１２９は、センサを備えてもよく、例えば、照明デバイスインターフェース１２９は、センサ出力に基づいて照明制御コマンドを生成してもよい。さらに、例えば、照明デバイスインターフェース１２９は、二次制御ユニット１０５内に、例えば、制御デバイス１３９の形態で、実装されてもよく、一次制御ユニット１０３は、制御ユニットインターフェース１１３、１１５及び照明デバイスバス１０９を介して照明デバイスインターフェース１２９に接続されてもよい。
【００６５】
開示される実施形態の他の変形形態は、請求される発明を実践する際に、図面、開示及び添付の請求項の検討から、当業者によって理解され、実施される。請求項において、「備える、含む（comprising）」という用語は、他の要素又はステップを排除せず、不定冠詞の「ａ」又は「ａｎ」は、複数形を排除しない。ある手段が互いに異なる従属項に列挙されるのみでは、これらの手段の組合せが有利に使用されないことは意味しない。請求項におけるいずれの参照符号も、範囲を制限するものとして解釈されてはならない。
【図１】
0006032756.tif 000002
【図２】
0006032756.tif 000003